(57)【特許請求の範囲】
【請求項１】
商用電源で駆動される医療機器のデータ入力装置であって、
読み書き可能な外部記録媒体からデータが転送される内部メモリと、
前記データ転送を制御する副制御部と、
前記商用電源からの電力が遮断されているとき、前記副制御部および前記内部メモリに電力を供給するバッテリ電源と、
前記副制御部を起動し、前記データ転送を開始するデータ転送起動手段とを備え、
前記商用電源からの電力供給が開始されると主ＣＰＵが前記内部メモリに転送されたデータの読み出しを開始する
ことを特徴とする医療機器のデータ入力装置。
【請求項２】
前記データ転送起動手段がスイッチ操作に基づいて前記データ転送を開始することを特徴とする請求項１に記載の医療機器のデータ入力装置。
【請求項３】
前記外部記録媒体が装着されたことを検知するセンサを更に備え、前記データ転送起動手段が前記外部記録媒体が装着されたことをトリガとして前記副制御部を起動し、前記データ転送を開始することを特徴とする請求項１〜２の何れか一項に記載の医療機器のデータ入力装置。
【請求項４】
請求項１〜請求項３の何れか一項に記載のデータ入力装置を備えたことを特徴とする電子内視鏡のプロセッサ装置。
【発明の詳細な説明】
【技術分野】
【０００１】
本発明は、データを入力するための装置に関し、特に医療機器に設けられたデータ入力装置に関する。
【背景技術】
【０００２】
内視鏡装置などの医療機器では、一般に日付情報や複数の患者情報を記憶して検査時にモニタ装置に表示する。そのため、検査に先立って、装置に付属するキーボード等を利用して患者情報を医療機器に入力する必要があるが、検査室の大きさや、他の医療機器の利用との兼ね合いから、検査時以外は商用電源用のコンセントが外され、他の場所で保管される場合も多い。内視鏡装置などの医療機器では、主電源である商用電源がオフされると装置全体への電力供給が遮断されデータを入力することもできないため、検査毎に患者データを入力する必要があった。このような問題に対して、電源がオフされた状態でも記憶動作を保持するメモリを設けることで、予めデータを装置に入力できるようにした超音波診断装置が提案されている（特許文献１）。
【先行技術文献】
【特許文献】
【０００３】
【特許文献１】特公平２−１４０１５１号公報
【発明の概要】
【発明が解決しようとする課題】
【０００４】
しかし、上記特許文献１の構成でも、コンセントが抜かれた状態でデータを入力することはできないので、データ入力時には装置を商用電源と接続できる位置まで移動する必要があった。
【０００５】
本発明は、医療機器において、商用電源がオフされている状態でもデータ入力を可能とすることを課題としている。
【課題を解決するための手段】
【０００６】
本発明の医療機器のデータ入力装置は、商用電源で駆動される医療機器のデータ入力装置であって、読み書き可能な外部記録媒体からデータが転送される内部メモリと、このデータ転送を制御する副制御部と、商用電源からの電力が遮断されているとき、副制御部および内部メモリに電力を供給するバッテリ電源と、副制御部を起動し、データ転送を開始するデータ転送起動手段とを備えたことを特徴としている。
【０００７】
データ転送起動手段は、スイッチ操作に基づいてデータ転送を開始する。商用電源からの電力供給が開始されると主ＣＰＵが内部メモリに転送されたデータの読み出しを開始する。また、外部記録媒体が装着されたことを検知するセンサを更に設けてもよく、このときデータ転送起動手段は外部記録媒体が装着されたことトリガとして副制御部を起動し、データ転送を開始する。
【０００８】
本発明の電子内視鏡のプロセッサ装置は、上記データ入力装置を備えたことを特徴としている。
【発明の効果】
【０００９】
本発明によれば、医療機器において、商用電源がオフされている状態でもデータ入力を行うことができる。
【図面の簡単な説明】
【００１０】
【図１】本発明の実施形態である電子内視鏡システムの構成を示すブロック図である。
【図２】データ入力処理動作のフローチャートである。
【図３】主電源がオンされたときの主ＣＰＵによる内部メモリからのデータ読み出し動作のフローチャートである。
【図４】第２実施形態である電子内視鏡システムの構成を示すブロック図である。
【図５】第２実施形態で外部記録媒体が装着されたときに副ＣＰＵが行う外部記録媒体からのデータ転送動作のフローチャートである。
【発明を実施するための形態】
【００１１】
以下、本発明の実施の形態を、図面を参照して説明する。図１は、本発明の一実施形態である電子内視鏡システムの構成を示すブロック図である。
【００１２】
電子内視鏡システムは１０、スコープ本体（電子内視鏡）１１と、スコープ本体が着脱自在に取り付けられるプロセッサ装置１２と、内視鏡画像を表示するモニタ装置１３を備え、例えば図示しないシステムカートにセットされ移動可能である。スコープ本体１１は、コネクタ１４をプロセッサ装置１２に装着することでプロセッサ装置１２に電気的・光学的に接続される。スコープ本体１１には、プロセッサ装置１２からコネクタ１４を介して照明光とスコープ本体１１を制御するタイミング信号や制御信号が送られる。スコープ本体１１では、挿入部先端に設けられた撮像素子１５で、プロセッサ装置１２からの照明光を利用して内視鏡画像が撮影される。
【００１３】
撮像素子１５からの画像信号はコネクタ１４に設けられた信号処理回路１６において前段処理を施され例えばデジタル信号に変換され、画像データとしてプロセッサ装置１２に設けられた信号処理回路１８に送られる。信号処理回路１８では画像データに対して所定の画像処理が施され、その後、所定の規格の映像信号に変換されてモニタ装置１３に出力される。
【００１４】
主ＣＰＵ１７は、タイミング信号や制御信号をコネクタ１４に設けられたマイコン２０に送信し、撮像素子１５はマイコン２０によって制御されるドライバ２１から出力される駆動信号に基づいて駆動される。また、プロセッサ装置１２内にはスコープ本体１１へ照明光を供給する光源部２２が設けられ、ペリフェラルコントローラ２３を介して主ＣＰＵ１７によって制御される。更に、主ＣＰＵ１７には図示しない回線を通じてキーボード３１が接続され、各種データの入力やモードの設定等に用いられる。なお、各デバイスへ供給されるタイミング信号は、図示しないタイミングコントローラによって生成される。
【００１５】
プロセッサ装置１２には、メモリカードやＵＳＢメモリなどの外部記録媒体２４が着脱可能であり、プロセッサ装置１２に装着されると、プロセッサ装置１２内に設けられた内部メモリ１９と電気的に接続される。また内部メモリ１９は、主ＣＰＵ１７が直接アドレスにアクセスできるメモリであり、内部メモリ１９に保存されたデータは、主ＣＰＵ１７により読み出し可能である。また、内部メモリ１９および外部記録媒体２４は、副ＣＰＵ２６に接続されており、両デバイス間における読み出し／書き出し動作は、副ＣＰＵ２６によって制御される。
【００１６】
プロセッサ装置１２は、メイン電源であるＡＣ−ＤＣ電源２７とバッテリ電源２８を備える。ＡＣ−ＤＣ電源２７は、商用交流電圧を所定の直流電圧Ｖｃｃに変換して出力し、バッテリ電源２８は、Ｖｃｃに対応する電圧を出力する。なお、バッテリ電源２８は、例えばＡＣ−ＤＣ電源２７から供給される電力によって充電される２次電池であるが、１次電池であってもよい。
【００１７】
ＡＣ−ＤＣ電源２７からの電力は、プロセッサ装置１２内の各デバイスに供給されるとともに、プロセッサ装置１２に装着されたスコープ本体１１の各デバイスへと供給される。なお、図１には主ＣＰＵ１７への電源ラインのみが示され、その他の電源ラインは省略されている。
【００１８】
更に、本実施形態において、内部メモリ１９、副ＣＰＵ２６、外部記録媒体２４の電源ラインは、電源監視切替回路２９を介してＡＣ−ＤＣ電源２７およびバッテリ電源２８に接続され、その接続はＡＣ−ＤＣ電源２７とバッテリ電源２８の間で切り替え可能である。電源監視切替回路２９は、ＡＣ−ＤＣ電源２７の電圧が所定値よりも高いときには、ＡＣ−ＤＣ電源２７がオン状態にあるので、内部メモリ１９、副ＣＰＵ２６、外部記録媒体２４の電源ラインをＡＣ−ＤＣ電源２７に接続する。一方、ＡＣ−ＤＣ電源２７がオフされＡＣ−ＤＣ電源２７の電圧が所定値よりも低くなると、内部メモリ１９、副ＣＰＵ２６、外部記録媒体２４の電源ラインの接続をバッテリ電源２８に切り替える。なおこのとき、副ＣＰＵ２６は省電力モードに設定されスリープ状態とされる。
【００１９】
また、プロセッサ装置１２は、スリープ状態にある副ＣＰＵ２６を起動し、外部記録媒体２４から内部メモリ１９へのデータ転送動作を開始する操作スイッチ３０を備える。操作スイッチ３０は、その一方の端子がグラウンドに接続され、他方の端子が副ＣＰＵ２６の電源ラインに抵抗を介して接続されるとともに副ＣＰＵ２６に接続される。操作スイッチ３０がオンされると副ＣＰＵ２６に接続された端子がグラウンドされ、スリープ状態にある副ＣＰＵ２６はこれをトリガとして起動される。起動された副ＣＰＵ２６は、以下に説明するように、外部記録媒体２４を用いたデータ入力処理を実行する。
【００２０】
次に図２のフローチャートおよび図１を参照して、本実施形態におけるデータ入力処理動作について説明する。本実施形態でデータは患者に関わるデータ（患者データ）であるがデータはこれに限定されるものではない。なお、データはパーソナルコンピュータ等を用いてユーザにより予め外部記録媒体２４に保存されており、電子カルテシステム等を利用した出力データであってもよい。
【００２１】
データ入力処理動作は、プロセッサ装置１２の主電源がオフされ、副ＣＰＵ２６および内蔵メモリ１９に電源監視切替回路２９を介してバッテリ電源２８から電力が供給されている状態において実行される。このとき副ＣＰＵ２６は、省電力モード（スリープ状態）に設定されている。
【００２２】
操作スイッチ３０がオンされ、ステップＳ１００において副ＣＰＵ２６が、操作スイッチ３０が操作されたことを検出すると、ステップＳ１０２においてスリープ状態にある副ＣＰＵ２６が起動される。起動された副ＣＰＵ２６は、ステップＳ１０４において、外部記録媒体２４が接続されているか否かを判定する。外部記録媒体２４が接続されていない場合には、処理はステップＳ１１２にジャンプし、副ＣＰＵ２６が再び省電力モードのスリープ状態に戻され、この処理は終了する。
【００２３】
一方、ステップＳ１０４において、外部記録媒体２４の接続が確認されると、ステップＳ１０６において、外部記録媒体２４内に転送の対象となるデータ（例えば患者データ）が存在するか否かが判定される。対象となるデータが存在しない場合には、処理はステップＳ１１２にジャンプし、副ＣＰＵ２６が省電力モードとされてこの処理は終了する。また、ステップＳ１０６において対象とするデータが存在すると判定された場合には、ステップＳ１０８において、外部記録媒体２４から内部メモリ１９へ該当データの転送処理が実行される。
【００２４】
ステップＳ１１０では、外部記録媒体２４内の全てのデータが内部メモリ１９へ転送されたか否かが判定される。転送が全て終了していれば、ステップＳ１１２において副ＣＰＵ２６が省電力モードとされこの処理は終了する。一方、未転送データが存在する場合には、ステップＳ１０８に戻り、再び外部記録媒体２４から内部メモリ１９への転送処理が繰り返される。なお、内部メモリ１９に転送されたデータは、バッテリ電源２８によりプロセッサ装置１２の主電源がオンされるまで保持される。
【００２５】
次に、図３のフローチャートを参照して、プロセッサ装置１２の主電源がオンされたときの処理について説明する。
【００２６】
プロセッサ装置１２の主電源がオンされるとステップＳ２００において主ＣＰＵ１７が起動される。起動された主ＣＰＵ１７は、ステップＳ２０２において内部メモリ１９に外部記録媒体２４から転送された患者データが存在するか否かを判定する。内部メモリ１９に該当データ（患者データ）が存在しない場合には、この処理は終了する。一方、ステップＳ２０２において該当データが存在すると判定された場合には、ステップＳ２０４において内部メモリ１９の患者データが主ＣＰＵ１７によって読み出されて患者リストにコピーされ、この処理は終了する。
【００２７】
なお、患者リストは、プロセッサ装置１２において定義された所定フォーマットのデータ群であり、主ＣＰＵ１７に付随する図示しないメモリに保存される。プロセッサ装置１２は、信号処理回路１８において、このメモリに保存されたデータに基づいて患者データを所定のフォーマットで内視鏡画像にスパーインポーズしてモニタ装置１３へと出力する。
【００２８】
以上のように、第１実施形態によれば、電子内視鏡システムなどの医療機器において、主電源がオフされた状態や、商用電源から切り離された状態でも、外部記録媒体からデータを入力することができる。このため、装置が商用電源との接続に適さない場所に保管された状態においても、パーソナルコンピュータ等を用いてデータを外部記録媒体に保存し、この外部記録媒体を装置に接続することで、データの入力を実現できる。
【００２９】
次に図４、図５を参照して、第２実施形態の電子内視鏡システムについて説明する。図４は、第２実施形態の電子内視鏡システムのブロック図である。なお第２実施形態は、第１実施形態のプロセッサ装置１２の構成に、外部記録媒体２４の装着を検知するスイッチ（センサ）３１を追加したものであり、その他の構成は第１実施形態と同様なので、その説明を省略する。
【００３０】
図４に示されるように、スイッチ３２の一方の端子はグラウンドに接続され、他方の端子は、副ＣＰＵ２６の電源ラインに抵抗を介して接続される操作スイッチ３０の端子と同じラインに接続される。外部記録媒体２４がプロセッサ装置１２に装着されると、スイッチ３２はオン状態となり、副ＣＰＵ２６に接続された端子はグラウンドされる。
【００３１】
すなわち第２実施形態では、操作スイッチ３０が操作されたときの他、外部記録媒体２４がプロセッサ装置１２に装着されたときに副ＣＰＵ２６をスリープ状態から起動するトリガ信号がハイからローに切り替わる。トリガ信号がハイからローに切り替わると、スリープ状態にある副ＣＰＵ２６が起動され、操作スイッチ３０が操作されたときと同様に、外部記録媒体２４から内部メモリ１９へのデータ転送動作が実行される。
【００３２】
図５は、外部記録媒体が装着されたときのデータ転送動作の流れを示すフローチャートである。なお、この処理は副ＣＰＵがスリープ状態（副ＣＰＵ省電力モード）において起動される。
【００３３】
外部記録媒体２４がプロセッサ装置１２に装着されると、ステップＳ３００において、副ＣＰＵ２６はスイッチ３２がオン状態とされたことを検出する。これによりステップＳ３０２ではスリープ状態にある副ＣＰＵ２６が起動される。その後、ステップＳ３０４において、外部記録媒体２４内に転送の対象となるデータ（例えば患者データ）が存在するか否かが判定される。対象となるデータが存在しない場合には、処理はステップＳ３１０にジャンプし、副ＣＰＵ２６が省電力モードとされてこの処理は終了する。また、ステップＳ３０４において対象とするデータが存在すると判定された場合には、ステップＳ３０６において、外部記録媒体２４から内部メモリ１９へ該当データの転送処理が実行される。
【００３４】
ステップＳ３０８では、外部記録媒体２４内の全てのデータが内部メモリ１９へ転送されたか否かが判定される。転送が全て終了していれば、ステップＳ３１０において副ＣＰＵ２６が省電力モードとされこの処理は終了する。一方、未転送データが存在する場合には、ステップＳ３０６に戻り、再び外部記録媒体２４から内部メモリ１９への転送処理が繰り返される。なお、内部メモリ１９に転送されたデータは、バッテリ電源２８によりプロセッサ装置１２の主電源がオンされるまで保持される。
【００３５】
以上のように、第２実施形態においても第１実施形態と同様の効果が得られる。また第２実施形態では、外部記録媒体を装着した際に自動的にデータの転送が行われるので、より利便性が高い。なお、第２実施形態の変形例として、操作スイッチ３０を省略した構成も可能である。
【００３６】
なお、本実施形態では主電源がオフ状態の下、操作スイッチが操作されるとデータ入力処理動作が開始したが、主電源がオン状態において操作スイッチが操作されたときにも同様の処理を実行する構成としてもよい。また、プロセッサ装置にデータ転送中やデータ転送完了をユーザに明示するためのパイロットランプを設けてもよい。
【００３７】
本実施形態では、電子内視鏡システムを例に説明を行ったが、超音波診断装置など他の医療機器にも本発明を適用することができる。
【符号の説明】
【００３８】
１０  電子内視鏡システム
１１  スコープ本体（電子内視鏡）
１２  プロセッサ装置
１７  主ＣＰＵ
１９  内部メモリ
２４  外部記録媒体
２５Ａ、２５Ｂ  制御切替回路
２６  副ＣＰＵ
２７  ＡＣ−ＤＣ電源
２８  バッテリ電源
２９  電源監視切替回路
３０  操作スイッチ
３１  キーボード
３２  スイッチ（センサ）
【図１】
0005624413.tif 000002
【図２】
0005624413.tif 000003
【図３】
0005624413.tif 000004
【図４】
0005624413.tif 000005
【図５】
0005624413.tif 000006